(57)【特許請求の範囲】
【請求項１】
多数の楽曲のうちから選択される楽曲の演奏出力を行うと共に、該楽曲の歌詞文字映像を映像表示装置に表示させるカラオケ装置であって、
該カラオケ装置に一体的に設けられ、画像を表示させると共に利用者の操作に応じて前記カラオケ装置への操作入力を行うタッチパネルディスプレイと、
該タッチパネルディスプレイを基準として前記利用者が何れの位置に存在するか判定する利用者位置判定手段と、
予め定められた関係から、該利用者位置判定手段による判定結果に基づいて、前記タッチパネルディスプレイに表示された画像を変化させる画像表示変更制御手段と
を、備えたものであることを特徴とするカラオケ装置。
【請求項２】
前記画像表示変更制御手段は、前記タッチパネルディスプレイに表示された画像中において予め定められた部分映像の、該画像全体における左右方向の相対位置を、前記利用者位置判定手段による判定結果に基づいて変化させるものである請求項１に記載のカラオケ装置。
【請求項３】
前記部分映像は、前記利用者位置判定手段による判定結果に基づいて前記画像全体における左右方向に移動させられる主移動部分映像と、該主移動部分映像に関連付けられ、該主移動部分映像の移動に伴い従属的に前記画像全体における左右方向に移動させられる従属移動部分映像とを、含むものである請求項２に記載のカラオケ装置。
【請求項４】
前記画像表示変更制御手段は、前記利用者位置判定手段による判定結果に基づいて前記画像を変化させる制御を行った後、予め定められた規定時間が経過するまでは、前記利用者位置判定手段による判定結果が変化した場合であっても該画像を変化させる制御を非実行とするものである請求項１から３の何れか１項に記載のカラオケ装置。
【請求項５】
前記画像表示変更制御手段は、前記主移動部分映像の左右方向の移動に伴い、該主移動部分映像に関連付けられた前記従属移動部分映像を該主移動部分映像とは左右方向の反対側に移動させるものである請求項３に記載のカラオケ装置。
【請求項６】
前記関係は、前記利用者位置判定手段による判定結果と、前記画像中における前記部分映像の相対位置との対応関係であり、
前記画像表示変更制御手段は、該対応関係から、前記利用者位置判定手段による判定結果に基づいて、前記画像中における前記部分映像の相対位置を変化させるものである請求項２から５の何れか１項に記載のカラオケ装置。
【発明の詳細な説明】
【技術分野】
【０００１】
本発明は、コマンダ本体にタッチパネルディスプレイを備えたカラオケ装置に関し、特に、そのコマンダ本体に備えられたタッチパネルディスプレイの使用性を向上させるための改良に関する。
【背景技術】
【０００２】
多数の楽曲のうちから選択される楽曲の演奏出力を行うと共に、その楽曲の歌詞文字映像を映像表示装置に表示させるカラオケ装置が知られている。斯かるカラオケ装置によれば、予め記憶装置に記憶された多数の楽曲からリモコン装置等により選択（選曲）された楽曲に関して、その楽曲の演奏音（音楽情報）を出力させると共に、その楽曲の歌詞文字映像を含む映像を演奏出力に同期して画面に表示させることで、所望の楽曲のカラオケ演奏を楽しむことができる。
【０００３】
前記カラオケ装置の一形態として、そのコマンダ本体における前面側（カラオケ演奏に際して利用者に向けられる側）に、画像を表示させると共に接触操作に応じて前記カラオケ装置への入力を行うタッチパネルディスプレイを備えたものが知られている。例えば、特許文献１の動画情報配信システムに備えられたカラオケ装置（図２４等を参照）がそれである。斯かるカラオケ装置によれば、電子早見本装置等の入力装置に加えて前記タッチパネルディスプレイにより選曲入力等の入力操作が可能とされるため、カラオケ装置の利便性を向上させることができる。
【先行技術文献】
【特許文献】
【０００４】
【特許文献１】特開２０１２−９３７３４号公報
【発明の概要】
【発明が解決しようとする課題】
【０００５】
ところで、バーやスナック等の店舗に設置されたカラオケ装置においては、客が直接選曲入力等の操作を行うことなく、店員が客からの希望（依頼）を受け付けて代わりに操作を行う態様が一般的である。例えば、カウンタの内側に立って給仕する店員が、そのカウンタ越しに客から選曲入力の希望を受け、前記コマンダ本体に設けられたタッチパネルディスプレイによりその選曲入力を行うこと等が考えられる。しかし、前記従来の技術では、カラオケ装置に対する店員の位置（方向）によっては、前記タッチパネルディスプレイによる操作のためにのばした手によって画面が陰になり、客の目からその画面が見えなくなる等の弊害が発生するおそれがあった。このような課題は、カラオケ装置の使用性向上を意図して本発明者が鋭意研究を継続する過程において新たに見出されたものである。
【０００６】
本発明は、以上の事情を背景として為されたものであり、その目的とするところは、コマンダ本体に設けられたタッチパネルディスプレイの使用性を向上させるカラオケ装置を提供することにある。
【課題を解決するための手段】
【０００７】
斯かる目的を達成するために、本発明の要旨とするところは、多数の楽曲のうちから選択される楽曲の演奏出力を行うと共に、その楽曲の歌詞文字映像を映像表示装置に表示させるカラオケ装置であって、そのカラオケ装置に一体的に設けられ、画像を表示させると共に利用者の操作に応じて前記カラオケ装置への操作入力を行うタッチパネルディスプレイと、そのタッチパネルディスプレイを基準として前記利用者が何れの位置に存在するか判定する利用者位置判定手段と、予め定められた関係から、その利用者位置判定手段による判定結果に基づいて、前記タッチパネルディスプレイに表示された画像を変化させる画像表示変更制御手段とを、備えたことを特徴とするものである。
【発明の効果】
【０００８】
このようにすれば、前記カラオケ装置に一体的に設けられ、画像を表示させると共に利用者の操作に応じて前記カラオケ装置への操作入力を行うタッチパネルディスプレイと、そのタッチパネルディスプレイを基準として前記利用者が何れの位置に存在するか判定する利用者位置判定手段と、予め定められた関係から、その利用者位置判定手段による判定結果に基づいて、前記タッチパネルディスプレイに表示された画像を変化させる画像表示変更制御手段とを、備えたものであることから、前記カラオケ装置に対する利用者の位置（方向）に応じて、前記タッチパネルディスプレイに表示された画像を変化させることで、客の目からその画面が見えなくなる等の弊害の発生を好適に抑制することができる。すなわち、コマンダ本体に設けられたタッチパネルディスプレイの使用性を向上させるカラオケ装置を提供することができる。
【０００９】
ここで、好適には、前記画像表示変更制御手段は、前記タッチパネルディスプレイに表示された画像中において予め定められた部分映像の、その画像全体における左右方向の相対位置を、前記利用者位置判定手段による判定結果に基づいて変化させるものである。このようにすれば、前記カラオケ装置に対する利用者の位置に応じて、前記タッチパネルディスプレイに表示された画像を好適且つ実用的な態様で変化させることができる。
【００１０】
また、好適には、前記部分映像は、前記利用者位置判定手段による判定結果に基づいて前記画像全体における左右方向に移動させられる主移動部分映像と、その主移動部分映像に関連付けられ、その主移動部分映像の移動に伴い従属的に前記画像全体における左右方向に移動させられる従属移動部分映像とを、含むものである。このようにすれば、前記カラオケ装置に対する利用者の位置に応じて、前記タッチパネルディスプレイに表示された画像を好適且つ実用的な態様で変化させることができる。
【００１１】
また、好適には、前記画像表示変更制御手段は、前記利用者位置判定手段による判定結果に基づいて前記画像を変化させる制御を行った後、予め定められた規定時間が経過するまでは、前記利用者位置判定手段による判定結果が変化した場合であってもその画像を変化させる制御を非実行とするものである。このようにすれば、利用者の移動により画面が目まぐるしく変化させられることで却って使用性が悪くなることを好適に抑制することができる。
【００１２】
また、好適には、前記画像表示変更制御手段は、前記主移動部分映像の左右方向の移動に伴い、その主移動部分映像に関連付けられた前記従属移動部分映像をその主移動部分映像とは左右方向の反対側に移動させるものである。このようにすれば、前記カラオケ装置に対する利用者の位置に応じて、前記タッチパネルディスプレイに表示された画像を好適且つ実用的な態様で変化させることができる。
【００１３】
また、好適には、前記関係は、前記利用者位置判定手段による判定結果と、前記画像中における前記部分映像の相対位置との対応関係であり、前記画像表示変更制御手段は、その対応関係から、前記利用者位置判定手段による判定結果に基づいて、前記画像中における前記部分映像の相対位置を変化させるものである。このようにすれば、前記カラオケ装置に対する利用者の位置に応じて、前記タッチパネルディスプレイに表示された画像を好適且つ実用的な態様で変化させることができる。
【図面の簡単な説明】
【００１４】
【図１】本発明が好適に適用されるカラオケ装置の構成を例示するブロック図である。
【図２】図１のカラオケ装置に設けられたセンサ及びタッチパネルディスプレイの具体的な形態の一例について説明する正面図である。
【図３】図１のカラオケ装置に備えられたセンサによる感知範囲について説明する背面図である。
【図４】図１のカラオケ装置のＣＰＵに機能的に備えられた制御機能の要部を説明する機能ブロック線図である。
【図５】図２のタッチパネルディスプレイに表示される、カラオケ装置に対して所定の楽曲の選曲入力操作を行うための選曲入力画面の一例を示す図である。
【図６】図１のカラオケ装置の設置形態の一例として、バーカウンタを備えた店舗にカラオケ装置が設置された様子を示す概略平面図である。
【図７】従来技術のカラオケ装置本体に設けられたタッチパネルディスプレイの弊害について具体的に説明する図である。
【図８】図５に示す選曲入力画面の変化の具体例について説明する図であり、図３に示す領域Ａに利用者の存在が感知された場合の画面を例示している。
【図９】図５に示す選曲入力画面の変化の具体例について説明する図であり、図３に示す領域Ｃに利用者の存在が感知された場合の画面を例示している。
【図１０】図１のカラオケ装置における、利用者の感知結果に基づいて主移動部分映像及び従属移動部分映像を移動させる移動ルールの一例について説明する図である。
【図１１】図１のカラオケ装置における、利用者の感知結果に基づいて主移動部分映像及び従属移動部分映像を移動させる移動ルールの一例について説明する図である。
【図１２】図１のカラオケ装置における、利用者の感知結果に基づいて主移動部分映像及び従属移動部分映像を移動させる移動ルールの一例について説明する図である。
【図１３】図１のカラオケ装置における、利用者の感知結果に基づいて主移動部分映像及び従属移動部分映像を移動させる移動ルールの一例について説明する図である。
【図１４】図５等の選曲入力画面において、その選曲入力画面に含まれる部分映像を複数の部分映像群に区分した様子を示す図である。
【図１５】図１７の移動テーブルにおける第１の部分映像群の相対位置関係を例示する図である。
【図１６】図１７の移動テーブルにおける第３の部分映像群の相対位置関係を例示する図である。
【図１７】図３に示す領域Ａ、Ｂ、Ｃの何れに利用者が判定されたかの判定結果と、図５等の選曲入力画面中における部分映像の相対位置との対応関係の一例である移動テーブルを例示する図である。
【図１８】図１のカラオケ装置のＣＰＵによる利用者の存在位置に基づく画像表示変更制御の一例の要部を説明するフローチャートである。
【図１９】図１のカラオケ装置のＣＰＵによる利用者の存在位置に基づく画像表示変更制御の他の一例の要部を説明するフローチャートである。
【発明を実施するための形態】
【００１５】
以下、本発明の好適な実施例を図面に基づいて詳細に説明する。
【実施例】
【００１６】
図１は、本発明が好適に適用されるカラオケ装置１０の構成を例示するブロック図である。この図１に示すように、本実施例のカラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、通信インターフェイス２６と、ビデオ出力端子２８を介して前記映像処理部２０に接続された映像表示装置であるディスプレイ３０と、オーディオ入力端子３２を介して前記音声処理部２２に接続された音声入力装置であるマイクロフォン３４と、オーディオ出力端子３６を介して前記音声処理部２２に接続された音声増幅装置であるアンプ３８と、前記カラオケ装置１０への操作入力を行う利用者の存在を感知するセンサ４４と、表示制御部４６及び入力制御部４８を介して前記ＣＰＵ１２に接続されたタッチパネルディスプレイ５０とを、備えて構成されている。
【００１７】
前記カラオケ装置１０は、前記通信インターフェイス２６及びネットワーク接続端子４０を介して通信回線４２に接続されており、同様にその通信回線４２に接続されたサーバ等の外部装置との相互間でその通信回線４２を介して情報の通信が可能とされている。前記通信回線４２は、例えば公衆電話回線、ＡＤＳＬ回線、或いは光ファイバ回線等から構成されるＷＷＷ（World Wide Web）等のインターネットに接続された広域情報通信網である。前記カラオケ装置１０は、好適には、前記通信回線４２を介して図示しないサーバ（ホスト装置）に接続されており、そのサーバから楽曲データ（カラオケデータ）、背景映像情報、及び曲間情報等のデジタルコンテンツ（Digital Contents）の配信を受け付けるものである。すなわち、前記カラオケ装置１０は、好適には、所定の通信回線に接続されてサーバとの間で各種情報の送受信を行う通信カラオケ装置であるが、斯かる通信回線に接続されない非通信型のカラオケ装置等にも本発明は好適に適用される。
【００１８】
前記ＣＰＵ１２は、前記ＲＡＭ１６の一時記憶機能を利用しつつ前記ＲＯＭ１４に予め記憶された所定のプログラムに基づいて電子情報を処理・制御する所謂マイクロコンピュータであり、前記カラオケ装置１０における各種制御を実行する。すなわち、前記操作パネル２４、タッチパネルディスプレイ５０、或いは図示しないリモコン装置（電子早見本装置）等により所定の楽曲（カラオケ演奏曲）が選曲入力された場合、その選曲入力された楽曲を前記ＲＡＭ１６等に設けられた予約曲テーブルに登録する選曲予約制御、その予約曲テーブルの演奏順に従って前記ハードディスク１８から前記ＲＡＭ１６に選曲されたカラオケ演奏曲の演奏情報及び歌詞情報（楽曲データ）を読み出す楽曲データ読出制御、楽曲の演奏進行に応じてそのＲＡＭ１６から前記音声処理部２２へ演奏情報を送信する演奏出力制御、その演奏出力制御に際して前記ＲＡＭ１６に展開された歌詞情報に基づいて歌詞文字映像を生成して前記映像処理部２０へ送信する歌詞文字映像出力制御、前記演奏出力制御に際して前記映像処理部２０を制御して所定の背景映像を再生させる背景映像出力制御、カラオケ演奏が行われていない間すなわち曲間において、新譜情報、選曲ランキング、店舗広告等の曲間情報を出力させる曲間情報出力制御、及び前記通信回線４２を介した図示しないサーバ等との間の情報通信制御等の基本的な制御に加え、後述する前記タッチパネルディスプレイ５０における画像表示制御等の各種制御を実行する。
【００１９】
前記ハードディスク１８には、前記カラオケ装置１０により前記楽曲の演奏出力（カラオケ演奏）を行うための多数（例えば、数万曲）の楽曲データ（カラオケデータ）を記憶する楽曲データベースをはじめとする各種データベースが設けられている。前記カラオケ装置１０は、前記通信インターフェイス２６及びネットワーク接続端子４０等を介して前記通信回線４２に接続されることで、前記サーバ（ホスト装置）から随時最新の楽曲データの配信を受け付ける（ダウンロードする）ことができるようになっている。
【００２０】
前記映像処理部２０は、前記ディスプレイ３０に表示される画面（映像）の描画に係る各種制御を行う。例えば、前記ＣＰＵ１２から供給されるデータに基づいてグラフィックスメモリにそのデータを書き込み、そのデータを読み出すことによって前記ビデオ出力端子２８を介して前記ディスプレイ３０に所定の画面を表示させる制御を行う。具体的には、前記カラオケ装置１０による楽曲の演奏出力（カラオケ演奏）に際して、前記ＣＰＵ１２において生成された歌詞文字映像等の文字映像（テロップ）を出力させたり、前記ハードディスク１８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ３０に表示させたり、その歌詞文字映像を前記楽曲の演奏進行に応じて順次色替わり表示させる等の各種表示制御を行う。なお、本実施例においては、前記映像処理部２０により前記ディスプレイ３０の表示制御を行う一方、後述する表示制御部４６により前記タッチパネルディスプレイ５０（表示装置５２）の表示制御を行う態様について説明するが、前記映像処理部２０により前記タッチパネルディスプレイ５０の表示制御をも行う態様も考えられる。この態様において、前記表示制御部４６は必ずしも設けられなくともよい。
【００２１】
前記音声処理部２２は、ＦＭ音源やＰＣＭ音源等の各種音源を備え、前記カラオケ装置１０による音声出力に係る各種制御を行う。好適には、電子回路により音を合成し、各種音色を発生するシンセサイザ（synthesizer）を備えている。このシンセサイザは、前記ハードディスク１８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン３４から前記オーディオ入力端子３２を介して入力される利用者（演奏者）の歌声とミキシングされ、前記オーディオ出力端子３６を介して前記アンプ３８に供給されてそのアンプ３８により増幅されて図示しないスピーカから出力される。
【００２２】
前記操作パネル２４は、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、好適には、前記操作パネル２４の一部乃至全部の機能を遠隔で実行するための入力装置として機能する電子早見本装置等のリモコン装置が備えられており、そのリモコン装置から送信される信号が前記ＣＰＵ１２に供給されることで、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。
【００２３】
前記タッチパネルディスプレイ５０は、画像（映像）を表示させると共に利用者の操作に応じて前記カラオケ装置１０への操作入力を行う装置であり、そのタッチパネルディスプレイ５０に所定の画像（映像）を表示させる表示装置５２と、利用者の指や図示しない備え付けのペン等による前記タッチパネルディスプレイ５０への接触により入力を行うタッチパネル５４とを、備えている。前記表示制御部４６は、前記ＣＰＵ１２から供給される情報に基づいて前記表示装置５２に表示される画面（映像）の描画を制御する映像処理部である。前記入力制御部４８は、前記タッチパネル５４により入力される操作入力情報を前記ＣＰＵ１２等に供給する入力処理部である。以上の構成を備えていることで、前記タッチパネルディスプレイ５０は、前記ディスプレイ３０とは別に第２の映像表示装置として機能すると共に、前記カラオケ装置１０の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２４】
図２は、前記カラオケ装置１０に設けられたセンサ４４及びタッチパネルディスプレイ５０の具体的な形態の一例について説明する正面図である。この図２に示すように、前記タッチパネルディスプレイ５０は、前記ＣＰＵ１２、映像処理部２０、及び音声処理部２２等を格納するカラオケ装置１０（コマンダ）本体に一体的に設けられたものである。好適には、図２に示すように、前記カラオケ装置１０本体における表側の平面部、すなわちそのカラオケ装置１０がカラオケボックス等に設置される場合に利用者側とされる平面部に、前記操作パネル２４を構成する複数のボタン及びつまみ等と隣接（併設）して設けられている。
【００２５】
前記センサ４４は、前記カラオケ装置１０への操作入力を行う利用者の存在を感知する人感センサであり、好適には、図２に示すように前記カラオケ装置１０本体に設けられて、そのカラオケ装置１０に対する表側すなわち前記タッチパネルディスプレイ５０が設けられた側における利用者の存在を感知するものである。このセンサ４４は、好適には、赤外線により利用者の存在を感知するよく知られた赤外線センサであるが、超音波や可視光等の光学センサ、或いは利用者の動きによる温度変化を感知する温度センサ等であってもよい。この感知の形態としては、前記タッチパネルディスプレイ５０に投影される利用者の手の影を感知する等の態様も考えられる。例えば、利用者の手の存在が、前記タッチパネルディスプレイ５０に対して左右どちらの方向であるのかを判断するために、前記センサ４４の内部に２個のセンサが備えられており、一方は前記タッチパネルディスプレイ５０の前方の左方向に向けて配置され、他方は前方の右方向に向けて配置される等の態様が好ましい。そして、それら２個のセンサそれぞれの出力信号に基づいて、何れの信号出力が大きいかの比較を、後述する利用者位置判定手段６０により行うことにより、利用者の手の位置を特定することができる。また、デジタルカメラを前記センサ４４として備え、そのデジタルカメラにより撮影される撮像情報を後述する利用者位置判定手段６０により画像解析することで前記カラオケ装置１０（タッチパネルディスプレイ５０）に対して利用者が何れの位置に存在するかを判定するものであってもよい。この画像解析としては、例えば、よく知られた２次元画像の明暗領域の位置判定技術が用いられ、利用者の手の存在を感知するのであれば、前記センサ４４による撮像範囲のうち、手の影が存在する領域は暗くなるため、２次元画像の明暗領域に基づいて好適に利用者の手の位置の存在を判定することができる。
【００２６】
図３は、前記センサ４４による感知範囲について説明する図であり、前記カラオケ装置１０をその背面（タッチパネルディスプレイ５０が設けられた平面の裏面）から見た様子を示す背面図である。前記センサ４４は、好適には、前記カラオケ装置１０の表側すなわち前記タッチパネルディスプレイ５０が設けられた側において、そのタッチパネルディスプレイ５０を基準として予め定められた複数の位置範囲それぞれにおける利用者の有無を感知するものである。例えば、図３に示すように、前記タッチパネルディスプレイ５０を基準として、そのタッチパネルディスプレイ５０に対して左側（画面方向に向かって左側）すなわちそのタッチパネルディスプレイ５０に対向して右側の位置範囲に相当する領域Ａ、前記タッチパネルディスプレイ５０の正面の位置範囲に相当する領域Ｂ、前記タッチパネルディスプレイ５０に対して右側（画面方向に向かって右側）すなわちそのタッチパネルディスプレイ５０に対向して左側の位置範囲に相当する領域Ｃそれぞれにおける利用者の有無を感知するものである。
【００２７】
図４は、前記カラオケ装置１０のＣＰＵ１２に機能的に備えられた制御機能の要部を説明する機能ブロック線図である。この図４に示す利用者位置判定手段６０は、前記センサ４４の感知結果に基づいて、前記タッチパネルディスプレイ５０により操作入力を行う利用者が、そのタッチパネルディスプレイ５０を基準として何れの位置に存在するか判定する。例えば、前述した図３に示すように、前記タッチパネルディスプレイ５０を基準として、そのタッチパネルディスプレイ５０に対して左側の位置範囲に相当する領域Ａ、前記タッチパネルディスプレイ５０の正面の位置範囲に相当する領域Ｂ、前記タッチパネルディスプレイ５０に対して右側の位置範囲に相当する領域Ｃのうち何れの位置範囲に存在するか（何れの位置範囲において感知されたか）を判定する。また、前記領域Ａ、Ｂ、Ｃのうち複数の領域に重複して利用者の存在が感知された場合（例えば、領域Ａ、Ｂに利用者の存在が感知された場合）には、その感知の強度に応じて何れか強く感知された方の領域に利用者が存在するものと判定する。なお、この利用者位置判定手段６０は、前記センサ４４に機能的に備えられたものであってもよい。すなわち、前記センサ４４は、前記タッチパネルディスプレイ５０により操作入力を行う利用者が、そのタッチパネルディスプレイ５０を基準として何れの位置に存在するかを感知（判定）し、その感知結果を前記ＣＰＵ１２へ供給するものであってもよい。
【００２８】
画像表示制御手段６２は、前記表示制御部４６を介して前記タッチパネルディスプレイ５０（表示装置５２）における画像（映像）の表示制御を行う。例えば、前記ＣＰＵ１２から供給されるデータに基づいて前記表示制御部４６のグラフィックスメモリにそのデータを書き込み、そのデータを読み出すことによって前記表示装置５２に所定の画面を表示させる制御を行う。好適には、後述する図５に示すように、前記カラオケ装置１０に対して所定の楽曲の選曲入力操作を行うための選曲入力画面７０を前記タッチパネルディスプレイ５０（表示装置５２）に表示させる。なお、このタッチパネルディスプレイ５０においては、曲名や歌手名に基づく楽曲検索のための楽曲検索画面、カラオケ演奏中のキーやボリューム等の操作のための操作画面、ドリンクや食事の注文等のための注文画面等が表示される他、前記カラオケ装置１０による楽曲の演奏出力に際してその楽曲の歌詞文字映像を含むカラオケ演奏画面を表示させたり、演奏出力に係る楽曲の歌手のプロモーション映像を表示させる等、様々な表示制御が行われ得る。以下の実施例においては、前記画像表示制御手段６２により前記タッチパネルディスプレイ５０（表示装置５２）に表示される、前記カラオケ装置１０に対して所定の楽曲の選曲入力操作を行うための選曲入力画面７０を例示すると共に、後述する画像表示変更制御手段６４によるその選曲入力画面７０に係る画像表示変更制御について説明する。
【００２９】
図５は、前記画像表示制御手段６２により前記タッチパネルディスプレイ５０（表示装置５２）に表示される、前記カラオケ装置１０に対して所定の楽曲の選曲入力操作を行うための選曲入力画面の一例を示す図である。この図５に示す選曲入力画面７０は、例えばキーワード検索等により検索された、曲名「いつかまた逢えたら」、歌手名「浜岡ゆうな」に対応する楽曲を選曲入力候補として提示すると共に、その楽曲の演奏出力（カラオケ演奏）に係る各種設定操作を行うための画面を例示している。図５に示すように、前記選曲入力画面７０には、名前表示欄７２、ユーザー切替ボタン７４、歌手名表示欄７６、曲名表示欄７８、歌い出し表示欄８０、選曲番号表示欄８２、原曲キー表示欄８４、撮影実行ボタン８６、撮影非実行ボタン８８、設定変更ボタン９０、曲タイプ変更ボタン９２、キー設定変更ボタン９４、戻るボタン９６、割り込み予約ボタン９８、原曲キー予約ボタン１００、及び予約ボタン１０２が表示されている。この選曲入力画面７０において、前記各ボタン（タッチパネル５４における各ボタンに対応する相対位置）に対する利用者の指や備え付けのペン等による接触操作（以下、接触入力操作という）が行われると、以下に説明するように各ボタンに対応する入力延いてはその入力に応じた処理が実行される。
【００３０】
前記カラオケ装置１０において、好適には、複数の利用者のログイン認証が行われ、認証された複数の利用者のうち前記タッチパネルディスプレイ５０による操作入力の入力主体（操作主体）である利用者を設定（選択）できるようになっている。前記選曲入力画面７０において、前記名前表示欄７２は、前記操作入力の入力主体である利用者の名前（ニックネーム）を表示させる。また、前記ユーザー切替ボタン７４に対する接触入力操作が行われると、前記操作入力の入力主体である利用者が他の利用者に切り替えられる。
【００３１】
前記選曲入力画面７０において、前記歌手名表示欄７６、曲名表示欄７８、歌い出し表示欄８０、選曲番号表示欄８２、及び原曲キー表示欄８４は、選曲入力候補の楽曲に関する各種情報を表示させる。すなわち、前記歌手名表示欄７６は、選曲入力候補の楽曲の歌手名を表示させる。また、前記曲名表示欄７８は、選曲入力候補の楽曲の曲名を表示させる。また、前記歌い出し表示欄８０は、選曲入力候補の楽曲の歌い出しの歌詞を表示させる。また、前記選曲番号表示欄８２は、選曲入力候補の楽曲の識別情報である選曲番号を表示させる。また、前記原曲キー表示欄８４は、選曲入力候補の楽曲の原曲キー（オリジナル楽曲と同じキーとするためのキー設定）を表示させる。
【００３２】
前記選曲入力画面７０において、前記撮影実行ボタン８６、撮影非実行ボタン８８、設定変更ボタン９０、曲タイプ変更ボタン９２、及びキー設定変更ボタン９４は、選曲入力候補の楽曲が前記カラオケ装置１０において演奏出力（カラオケ演奏）される際の各種設定を、選曲入力と同時に行うためのボタンである。すなわち、前記撮影実行ボタン８６に対する接触入力操作が行われると、選曲入力候補の楽曲のカラオケ演奏（選曲入力が行われた後、演奏順となった場合における実際の演奏出力、以下の説明において同じ）に際して、前記カラオケ装置１０に備えられた図示しないデジタルカメラによる撮影を実行する設定とされる。また、前記撮影非実行ボタン８８に対する接触入力操作が行われると、選曲入力候補の楽曲のカラオケ演奏に際して前記撮影が実行されない設定とされる。また、前記設定変更ボタン９０に対する接触入力操作が行われると、選曲入力候補の楽曲が前記カラオケ装置１０において演奏出力される際の各種設定（オプション設定）を変更するための設定変更画面が前記タッチパネルディスプレイ５０に表示される。また、前記曲タイプ変更ボタン９２に対する接触入力操作が行われると、選曲入力候補の楽曲の曲タイプ（同一の楽曲に対応して演奏形態の異なる複数の楽曲データの種類を定めるもの）が変更される。また、前記キー設定変更ボタン９４に対する接触入力操作が行われると、選曲入力候補の楽曲のカラオケ演奏に際してのキー設定が変更される。
【００３３】
前記選曲入力画面７０において、前記戻るボタン９６に対する接触入力操作が行われると、図５に示す選曲入力画面７０の前に前記タッチパネルディスプレイ５０に表示されていた画面に復帰（再表示）させられる。また、前記選曲入力画面７０において、前記割り込み予約ボタン９８、原曲キー予約ボタン１００、及び予約ボタン１０２は、選曲入力候補の楽曲を前記カラオケ装置１０に対して選曲入力（予約送信）するためのボタンである。すなわち、前記割り込み予約ボタン９８に対する接触入力操作が行われると、前記カラオケ装置１００に対して、選曲入力候補の楽曲を既に前記ＲＡＭ１６等の予約曲テーブルに予約されている予約曲よりも先に演奏出力させるための割り込み予約が実行される。また、前記原曲キー予約ボタン１００に対する接触入力操作が行われると、前記カラオケ装置１００に対して、選曲入力候補の楽曲を原曲キー（図５に示す例では「＋１」）の設定で予約する原曲キー予約が実行される。また、前記予約ボタン１０２に対する接触入力操作が行われると、前記カラオケ装置１００に対して、選曲入力候補の楽曲をデフォルト設定で予約する選曲入力が実行される。
【００３４】
図６は、バーカウンタ１１０を備えた店舗に前記カラオケ装置１０が設置された様子を示す概略平面図である。この図６に示すように、バーやスナック等の店舗において、前記カラオケ装置１０はバーカウンタ１１０の内側すなわち店員１１２が作業を行う店員スペース側に設置される形態が多い。斯かる形態においては、前記バーカウンタ１１０の外側（客席側）に座る客１１４ａ、１１４ｂ、１１４ｃ（以下、特に区別しない場合には単に客１１４という）は、前記カラオケ装置１０に対する選曲入力等の操作を行いたい場合においても直接操作を行うことなく、前記店員１１２が客１１４からの希望（依頼）を受け付けて代わりに操作を行う態様が一般的である。例えば、前記バーカウンタ１１０の内側に立って給仕する店員１１２が、そのバーカウンタ１１０越しに前記客１１４から選曲入力の希望を受け、前記タッチパネルディスプレイ５０に表示された前記図５に示すような選曲入力画面７０の表示に従ってその選曲入力操作を行うこと等が考えられる。
【００３５】
しかしながら、前記タッチパネルディスプレイ５０の表示に従って操作入力を行う場合、前記カラオケ装置１０に対する店員１１２の位置（方向）によっては、前記タッチパネルディスプレイ５０による操作のためにのばした手部１１２ａによって画面が陰になり、客１１４の目からその画面が見えなくなる等の弊害が発生するおそれがある。図７は、斯かる弊害について具体的に説明する図である。前記タッチパネルディスプレイ５０に表示された図５に示すような選曲入力画面７０の表示に従って操作を行う場合、紙面向かって左方向（画面に対向して左側の方向）から前記予約ボタン１０２に対する接触入力操作を行おうとして前記店員１１２が手部１１２ａを伸ばすと、その手部１１２ａによって前記選曲入力画面７０の一部が陰になる。図７に示す例では、前記選曲番号表示欄８２、原曲キー表示欄８４、撮影実行ボタン８６、撮影非実行ボタン８８、設定変更ボタン９０、曲タイプ変更ボタン９２、戻るボタン９６、割り込み予約ボタン９８、及び原曲キー予約ボタン１００が前記手部１１２ａの陰になり、前記客１１４の側から見えなくなってしまっている。
【００３６】
図７を用いて前述したような弊害の発生を抑制するために、本実施例のカラオケ装置１０は、図４に示すように、制御機能として画像表示変更制御手段６４を備えている。この画像表示変更制御手段６４は、予め定められた関係から、前記利用者位置判定手段６０による判定結果に基づいて、前記タッチパネルディスプレイ５０に表示された画像を変化させる。好適には、前記タッチパネルディスプレイ５０に表示された画像中において予め定められた部分映像の、その画像全体における左右方向（カラオケ装置１０を水平面に設置した場合におけるタッチパネルディスプレイ５０の画面左右方向）の相対位置を、前記利用者位置判定手段６０による判定結果に基づいて変化させる。以下、前記画像表示変更制御手段６４による画像の変化の具体的な態様について詳述する。
【００３７】
図８及び図９は、前述した図５と併せて前記画像表示変更制御手段６４による前記選曲入力画面７０の変化の具体例について説明する図であり、図８は図３に示す領域Ａに利用者の存在が感知された場合、図５は図３に示す領域Ｂに利用者の存在が感知された場合、図９は図３に示す領域Ｃに利用者の存在が感知された場合における前記選曲入力画面７０の変化をそれぞれ例示してる。これらの図に示すように、前記画像表示変更制御手段６４は、好適には、前記タッチパネルディスプレイ５０に表示された画像である選曲入力画面７０中において予め定められた部分映像の、その選曲入力画面７０全体における左右方向の相対位置を、前記利用者位置判定手段６０により利用者の存在が判定された方向へ寄せるように変化させる。ここで、前記部分映像は、好適には、前記タッチパネルディスプレイ５０（タッチパネル５４）において、利用者の接触により所定の入力操作を実行するボタンである。
【００３８】
例えば、前記タッチパネルディスプレイ５０に対して左側（画面方向に向かって左側）すなわちそのタッチパネルディスプレイ５０に対向して右側の位置範囲に相当する領域Ａに利用者の存在が感知された場合、図８に示すように、図５に示す前記選曲入力画面７０に比べて前記戻るボタン９６を右に寄せる（画面全体における相対的な位置が右寄りとなる）ようにその画像を変化させる。また、前記タッチパネルディスプレイ５０に対して右側（画面方向に向かって右側）すなわちそのタッチパネルディスプレイ５０に対向して左側の位置範囲に相当する領域Ｃに利用者の存在が感知された場合、図９に示すように、図５に示す前記選曲入力画面７０に比べて前記ユーザー切替ボタン７４、割り込み予約ボタン９８、原曲キー予約ボタン１００、及び予約ボタン１０２を左に寄せる（画面全体における相対的な位置が左寄りとなる）ようにその画像を変化させる。また、図９に示す選曲入力画面７０においては、前記ユーザー切替ボタン７４が左に寄せられることに伴い、図５に示す画面と比べて前記名前表示欄７２が右に寄せられて（画面全体における相対的な位置が右寄りとされて）いる。また、前記タッチパネルディスプレイ５０に対して中央（タッチパネルディスプレイ５０に対向して中央）の位置範囲に相当する領域Ｂに利用者の存在が感知された場合、図５に示すように、図８及び図９に示す前記選曲入力画面７０に比べて前記ユーザー切替ボタン７４、戻るボタン９６、割り込み予約ボタン９８、原曲キー予約ボタン１００、及び予約ボタン１０２を左右均等に分配させるようにその画像を変化させる。すなわち、図５、図８、及び図９に示す例においては、前記名前表示欄７２、ユーザー切替ボタン７４、戻るボタン９６、割り込み予約ボタン９８、原曲キー予約ボタン１００、及び予約ボタン１０２が前記選曲入力画面７０中において予め定められた部分映像に対応する。
【００３９】
換言すれば、前記画像表示変更制御手段６４は、前記タッチパネルディスプレイ５０に表示された画像中において予め定められた部分映像の、その画像全体における左右方向の相対位置を、前記利用者位置判定手段６０による判定結果に基づいて変化させる一方、前記画像における余の部分に関しては、前記利用者位置判定手段６０による判定結果に基づく変化を行わない。すなわち、図５、図８、及び図９に示す選曲入力画面７０において、前記歌手名表示欄７６、曲名表示欄７８、歌い出し表示欄８０、選曲番号表示欄８２、原曲キー表示欄８４、撮影実行ボタン８６、撮影非実行ボタン８８、設定変更ボタン９０、曲タイプ変更ボタン９２、及びキー設定変更ボタン９４は、前記利用者位置判定手段６０による判定結果に基づいて変化させられない非移動部分映像に対応する。これらの部分映像が前記利用者位置判定手段６０による判定結果に基づいて変化させられない理由は、例えば設定変更ボタン９０に対応する「各種変更ができます」という表示、曲タイプ変更ボタン９２に対応する曲タイプの表示、キー設定変更ボタン９４に対応するキー設定の表示等のように、各部分映像に近接して或いはその背景にその部分映像と連動する（関連する表示を行う）画像が存在し、各部分映像が移動することによりその連動する画像や背景の意味が理解しづらくなるためである。
【００４０】
また、前記画像表示変更制御手段６４は、好適には、前記利用者位置判定手段６０による判定結果に基づいて前記画像を変化させる制御を行った後、予め定められた規定時間（例えば、１０〜３０秒程度）が経過するまでは、前記利用者位置判定手段６０による判定結果が変化した場合であってもその画像を変化させる制御を非実行とするものである。換言すれば、前記画像表示変更制御手段６４は、好適には、前記利用者位置判定手段６０による判定結果に基づく画像の変化（部分映像の移動）を行った場合には、その変化から前記規定時間経過することを条件に、次なる前記利用者位置判定手段６０による判定結果に基づく画像の変化を実行（許可）する。
【００４１】
前述したように、図９に示す選曲入力画面７０においては、前記ユーザー切替ボタン７４が左に寄せられることに伴い、図５に示す画面と比べて前記名前表示欄７２が右に寄せられて（画面全体における相対的な位置が右寄りとされて）いる。すなわち、前記選曲入力画面７０中において予め定められた部分映像は、好適には、前記利用者位置判定手段６０による判定結果に基づいて前記選曲入力画面７０全体における左右方向に移動させられる主移動部分映像としての前記ユーザー切替ボタン７４と、そのユーザー切替ボタン７４に関連付けられ、そのユーザー切替ボタン７４の移動に伴い従属的に前記選曲入力画面７０全体における左右方向に移動させられる従属移動部分映像としての前記名前表示欄７２とを、含むものである。また、前記画像表示変更制御手段６４は、好適には、前記主移動部分映像としての前記ユーザ切替ボタン７４の左右方向（図５から図９への変化では画面に対向して左側へ）の移動に伴い、そのユーザ切替ボタン７４に関連付けられた従属移動部分映像としての前記名前表示欄７２をそのユーザ切替ボタン７４とは左右方向の反対側（図５から図９への変化では画面に対向して右側）に移動させるものである。
【００４２】
図１０〜図１３は、前記主移動部分映像及び従属移動部分映像に関して、前記利用者位置判定手段６０による判定結果に基づいてそれら主移動部分映像及び従属移動部分映像を移動させる移動ルールの一例を説明する図である。これら図１０〜図１３では、例えば、前記タッチパネルディスプレイ５０の画面における左上隅を（０，０）とするＸＹ座標を想定し、前記主移動部分映像及び従属移動部分映像ぞれぞれにおける文字等を省略した（例えば、ユーザー切替ボタン７４における「ユーザー切替」等の各部分映像を表すテキストが合成されていない）パーツ１２０、１２２の移動を概念的に示している。図１０に示すように、従属移動部分映像のパーツ１２２（以下、単にパーツ１２２という）の左上端が基点（Ｘ１，Ｙ１）である状態から、例えば画面に対向して左側に利用者の存在が感知される等して主移動部分映像のパーツ１２０（以下、単にパーツ１２０という）が左側に寄せられる場合、先ず、図１１に示すように、前記パーツ１２０の左上端が前記基点（Ｘ１，Ｙ１）となるようにそのパーツ１２０が相対的に移動させられる。この図１１においては、前記パーツ１２０が前記パーツ１２２の上に重なった状態を示している。次に、図１２に示すように、前記ＸＹ座標が左右方向に反転させられる。例えば、前記タッチパネルディスプレイ５０の画面における右上隅が（０，０）となるように左右方向の座標であるＸ座標が左右反転させられる。次に、図１３に示すように、左右反転させられたＸＹ座標に従って、前記パーツ１２２の右上端が前記基点（Ｘ１，Ｙ１）となるようにそのパーツ１２２が相対的に移動させられる。そして、ＸＹ座標が元に戻され（再び左右反転させられ）、移動させられた前記パーツ１２０、１２２それぞれの座標が再計算された後、各パーツ１２０、１２２に対応する文字列等が合成されることで、前記利用者位置判定手段６０による判定結果に基づく前記主移動部分映像及び従属移動部分映像の移動（画像の変化）が完了させられる。斯かる移動ルールに基づく画像の変化は、例えば前述した図５等に示す前記名前表示欄７２及びユーザー切替ボタン７４のように、画面の左右方向が主移動部分映像及び従属移動部分映像の左右方向の寸法の合計と略一致し、且つそれらの入れ替えを行う画像の変化に好適に適用される。
【００４３】
図１４〜図１７は、前記利用者位置判定手段６０による判定結果に基づく画像の変化に関して、その判定結果と前記画像中における前記部分映像の相対位置との対応関係を定める移動テーブル５８に基づいて画像の変化を行う態様の一例を説明する図である。図１４は、前記選曲入力画面７０において、その選曲入力画面７０に含まれる部分映像を複数（図１４では３つ）の部分映像群７０ａ、７０ｂ、７０ｃに区分した様子を示しており、前記名前表示欄７２及びユーザー切替ボタン７４が第１の部分映像群７０ａに、前記歌手名表示欄７６、曲名表示欄７８、歌い出し表示欄８０、選曲番号表示欄８２、原曲キー表示欄８４、撮影実行ボタン８６、撮影非実行ボタン８８、設定変更ボタン９０、曲タイプ変更ボタン９２、及びキー設定変更ボタン９４が第２の部分映像群７０ｂに、前記戻るボタン９６、割り込み予約ボタン９８、原曲キー予約ボタン１００、及び予約ボタン１０２が第３の部分映像群７０ｃにそれぞれ含まれる。図１７は、前述した図３に示す領域Ａ、Ｂ、Ｃの何れに利用者が判定されたかの判定結果と、前記選曲入力画面７０中における前記部分映像の相対位置との対応関係の一例である移動テーブル５８を例示する図であり、前記第１の部分映像群７０ａに係る（ａ−ｉ）、（ａ−ii）の相対位置を図１５に、前記第３の部分映像群７０ｃに係る（ｃ−ｉ）、（ｃ−ii）、（ｃ−iii）の相対位置を図１６にそれぞれ示している。また、前記第２の部分映像群７０ｂは、前記利用者位置判定手段６０による判定結果に基づいて変化させられない非移動部分映像に相当する。
【００４４】
前記画像表示変更制御手段６４は、好適には、図１７に示すような移動テーブル５８から、前記利用者位置判定手段６０による判定結果に基づいて、前記選曲入力画面７０中における前記部分映像の相対位置を変化させる。すなわち、前記利用者位置判定手段６０による判定結果として図３に示す領域Ａに利用者の存在が感知された場合には、前記第１の部分映像群７０ａに係る位置関係を図１５に示す（ａ−ｉ）に、前記第３の部分映像７０ｂに係る位置関係を図１６に示す（ｃ−ｉ）に変化させる。また、前記利用者位置判定手段６０による判定結果として図３に示す領域Ｂに利用者の存在が感知された場合には、前記第１の部分映像群７０ａに係る位置関係を図１５に示す（ａ−ｉ）に、前記第３の部分映像７０ｂに係る位置関係を図１６に示す（ｃ−ii）に変化させる。また、前記利用者位置判定手段６０による判定結果として図３に示す領域Ｃに利用者の存在が感知された場合には、前記第１の部分映像群７０ａに係る位置関係を図１５に示す（ａ−ii）に、前記第３の部分映像７０ｂに係る位置関係を図１６に示す（ｃ−iii）に変化させる。
【００４５】
図１８は、前記カラオケ装置１０のＣＰＵ１２による利用者の存在位置に基づく画像表示変更制御の一例の要部を説明するフローチャートであり、所定の周期で繰り返し実行されるものである。
【００４６】
先ず、ステップ（以下、ステップを省略する）Ｓ１において、前記カラオケ装置１０に備えられた前記センサ４４により利用者の検出が行われる。次に、Ｓ２において、前記センサ４４により利用者の存在が感知されたか否かが判断される。このＳ２の判断が否定される場合には、Ｓ１以下の処理が再び実行されるが、Ｓ２の判断が肯定される場合には、Ｓ３において、前記センサ４４の感知結果に基づいて、前記タッチパネルディスプレイ５０を基準として前記利用者が何れの位置に存在するかが判定される。例えば、図３に示す領域Ａ、Ｂ、Ｃの何れに利用者の存在が感知されたかを判定する。
【００４７】
次に、Ｓ４において、Ｓ３にて利用者が前記タッチパネルディスプレイ５０の正面例えば図３に示す領域Ｂに存在することが判定されたか否かが判断される。このＳ４の判断が否定される場合には、Ｓ８以下の処理が実行されるが、Ｓ４の判断が肯定される場合には、Ｓ５において、前記移動テーブル５８に予め定められた、利用者が前記タッチパネルディスプレイ５０の正面にいる場合における画面の組み合わせ（部分映像の相対位置）で前記選曲入力画面７０等の画像が作成される。次に、Ｓ６において、前記センサ４４の感知結果に基づいて、前記タッチパネルディスプレイ５０を基準とした場合における利用者の位置が変化したか否かが判断される。このＳ６の判断が否定されるうちは、Ｓ６の判断が繰り返されることにより待機させられるが、Ｓ６の判断が肯定される場合には、Ｓ７において、先に前記タッチパネルディスプレイ５０を基準とした利用者の位置に基づく前記選曲入力画面７０等の画像の変化が行われてから、予め定められた規定の画面保持時間が経過したか否かが判断される。このＳ７の判断が否定される場合には、Ｓ６以下の処理が再び実行されるが、Ｓ７の判断が肯定される場合には、Ｓ１以下の処理が再び実行される。
【００４８】
Ｓ８においては、Ｓ３にて利用者が前記タッチパネルディスプレイ５０の左側例えば図３に示す領域Ａに存在することが判定されたか否かが判断される。このＳ８の判断が肯定される場合には、Ｓ９において、前記移動テーブル５８に予め定められた、利用者が前記タッチパネルディスプレイ５０の左側にいる場合における画面の組み合わせで前記選曲入力画面７０等の画像が作成された後、Ｓ６以下の処理が実行されるが、Ｓ８の判断が否定される場合には、Ｓ３にて利用者が前記タッチパネルディスプレイ５０の右側例えば図３に示す領域Ｃに存在することが判定されたものと判断され、Ｓ１０において、前記移動テーブル５８に予め定められた、利用者が前記タッチパネルディスプレイ５０の右側にいる場合における画面の組み合わせで前記選曲入力画面７０等の画像が作成された後、Ｓ６以下の処理が実行される。
【００４９】
図１９は、前記カラオケ装置１０のＣＰＵ１２による利用者の存在位置に基づく画像表示変更制御の他の一例の要部を説明するフローチャートであり、所定の周期で繰り返し実行されるものである。この図１９において、前述した図１８の制御と共通するステップについては、同一の符号を付してその説明を省略する。
【００５０】
図１９に示す制御において、前記Ｓ４の判断が肯定される場合、すなわちＳ３にて利用者が前記タッチパネルディスプレイ５０の正面例えば図３に示す領域Ｂに存在することが判定されたものと判断される場合には、Ｓ１１において、前記選曲入力画面７０等の画像においてボタンすなわち部分映像の位置の変化は行われず、Ｓ６以下の処理が実行される。Ｓ８の判断が肯定される場合、すなわちＳ３にて利用者が前記タッチパネルディスプレイ５０の左側例えば図３に示す領域Ａに存在することが判定されたものと判断される場合には、Ｓ１２において、前記選曲入力画面７０等の画像において予め定められたボタン等の主移動部分映像がその画像全体における左側へ相対的に移動させられる。次に、Ｓ１３において、Ｓ１２乃至Ｓ１４にて移動させられた主移動部分映像に関連付けられた従属移動部分映像が、予め定められた反転移動ルールに従って前記画像内を相対的に移動させられた後、Ｓ６以下の処理が実行される。Ｓ８の判断が否定される場合、すなわちＳ３にて利用者が前記タッチパネルディスプレイ５０の右側例えば図３に示す領域Ｃに存在することが判定されたものと判断される場合には、Ｓ１４において、前記選曲入力画面７０等の画像において予め定められたボタン等の主移動部分映像がその画像全体における右側へ相対的に移動させられた後、Ｓ１３以下の処理が実行される。以上、図１８及び図１９に示す制御において、Ｓ１〜Ｓ４、Ｓ８が前記利用者位置判定手段６０の動作に、Ｓ５〜Ｓ７、Ｓ９、Ｓ１０〜Ｓ１４が前記画像表示制御手段６２及び画像表示変更制御手段６４の動作に、それぞれ対応する。
【００５１】
このように、本実施例によれば、前記カラオケ装置１０に一体的に設けられ、画像を表示させると共に利用者である店員１１２等の操作に応じて前記カラオケ装置１０への操作入力を行うタッチパネルディスプレイ５０と、そのタッチパネルディスプレイ５０を基準として前記利用者が何れの位置に存在するか判定する利用者位置判定手段６０（Ｓ１〜Ｓ４、Ｓ８）と、予め定められた関係から、その利用者位置判定手段６０による判定結果に基づいて、前記タッチパネルディスプレイ５０に表示された画像を変化させる画像表示変更制御手段６４（Ｓ５〜Ｓ７、Ｓ９、Ｓ１０〜Ｓ１４）とを、備えたものであることから、前記カラオケ装置１０に対する利用者の位置（方向）に応じて、前記タッチパネルディスプレイ５０に表示された画像を変化させることで、客の目からその画面が見えなくなる等の弊害の発生を好適に抑制することができる。すなわち、コマンダ本体に設けられたタッチパネルディスプレイ５０の使用性を向上させるカラオケ装置１０を提供することができる。
【００５２】
また、前記画像表示変更制御手段６４は、前記タッチパネルディスプレイ５０に表示された画像中において予め定められた部分映像の、その画像全体における左右方向の相対位置を、前記利用者位置判定手段６０による判定結果に基づいて変化させるものであるため、前記カラオケ装置１０に対する利用者の位置に応じて、前記タッチパネルディスプレイ５０に表示された画像を好適且つ実用的な態様で変化させることができる。
【００５３】
また、前記部分映像は、前記利用者位置判定手段６０による判定結果に基づいて前記画像全体における左右方向に移動させられる主移動部分映像であるユーザー切替ボタン７４等と、その主移動部分映像に関連付けられ、その主移動部分映像の移動に伴い従属的に前記画像全体における左右方向に移動させられる従属移動部分映像である名前表示欄７２等とを、含むものであるため、前記カラオケ装置１０に対する利用者の位置に応じて、前記タッチパネルディスプレイ５０に表示された画像を好適且つ実用的な態様で変化させることができる。
【００５４】
また、前記画像表示変更制御手段６４は、前記利用者位置判定手段６０による判定結果に基づいて前記画像を変化させる制御を行った後、予め定められた規定時間が経過するまでは、前記利用者位置判定手段６０による判定結果が変化した場合であってもその画像を変化させる制御を非実行とするものであるため、利用者の移動により画面が目まぐるしく変化させられることで却って使用性が悪くなることを好適に抑制することができる。
【００５５】
また、前記画像表示変更制御手段６４は、前記主移動部分映像の左右方向の移動に伴い、その主移動部分映像に関連付けられた前記従属移動部分映像をその主移動部分映像とは左右方向の反対側に移動させるものであるため、前記カラオケ装置１０に対する利用者の位置に応じて、前記タッチパネルディスプレイ５０に表示された画像を好適且つ実用的な態様で変化させることができる。
【００５６】
また、前記関係は、前記利用者位置判定手段６０による判定結果と、前記画像中における前記部分映像の相対位置との対応関係である移動テーブル５８等であり、前記画像表示変更制御手段６４は、その移動テーブル５８から、前記利用者位置判定手段６０による判定結果に基づいて、前記画像中における前記部分映像の相対位置を変化させるものであるため、前記カラオケ装置１０に対する利用者の位置に応じて、前記タッチパネルディスプレイ５０に表示された画像を好適且つ実用的な態様で変化させることができる。
【００５７】
以上、本発明の好適な実施例を図面に基づいて詳細に説明したが、本発明はこれに限定されるものではなく、更に別の態様においても実施される。
【００５８】
例えば、前述の実施例において、前記利用者位置判定手段６０は、図３に示すように前記タッチパネルディスプレイ５０を基準とする３つの領域Ａ、Ｂ、Ｃの何れに利用者が存在するか判定するものであり、前記画像表示変更制御手段６４は、その判定結果に基づいて前記タッチパネルディスプレイ５０に表示された画像を変化させるものであったが、本発明はこれに限定されるものではなく、前記利用者位置判定手段６０は、前記タッチパネルディスプレイ５０を基準とする４つ以上の領域の何れに利用者が存在するか判定するもの、或いは前記タッチパネルディスプレイ５０を基準とする左右の何れの方向に利用者が存在するかを判定するものであってもよく、前記画像表示変更制御手段６４は、斯かる利用者位置判定手段６０の判定結果に基づいて前記タッチパネルディスプレイ５０に表示された画像を変化させるものであってもよい。
【００５９】
また、前述の実施例において、前記カラオケ装置１０の本体に備えられた前記タッチパネルディスプレイ５０は、画像（映像）を表示させると共に利用者の指や備え付けのペン等による接触操作に応じて前記カラオケ装置１０への操作入力を行う装置であったが、前記タッチパネルディスプレイ５０（タッチパネル５４）は、必ずしもその表面に対する接触に応じて前記カラオケ装置１０への操作入力を行うものでなくともよく、例えば利用者の指等がその表面の至近距離に接近すること（非接触）により前記カラオケ装置１０への操作入力を行うものであってもよい。
【００６０】
また、前述の実施例においては、前記タッチパネルディスプレイ５０に表示された画像の一例として、前記カラオケ装置１０に対して所定の楽曲の選曲入力操作を行うための選曲入力画面７０を例示すると共に、前記利用者位置判定手段６０による判定結果に基づいてその選曲入力画面７０における部分映像の位置関係を変化させる制御について説明したが、これはあくまで一例であり、例えば曲名や歌手名に基づく楽曲検索、カラオケ演奏中のキーやボリューム等の操作、ドリンクや食事の注文等のために前記タッチパネルディスプレイ５０に表示される画面に関して、前記利用者位置判定手段６０による判定結果に基づいてその画面を変化させる制御にも、本発明は好適に適用される。
【００６１】
その他、一々例示はしないが、本発明はその趣旨を逸脱しない範囲内において種々の変更が加えられて実施されるものである。
【符号の説明】
【００６２】
１０：カラオケ装置、５０：タッチパネルディスプレイ、５８：移動テーブル（対応関係）、６０：利用者位置判定手段、６４：画像表示変更制御手段、７０：選曲入力画面（画像）、７２：名前表示欄（従属移動部分映像）、７４：ユーザー切替ボタン（主移動部分映像）、９６：戻るボタン（部分映像）、９８：割り込み予約ボタン（部分映像）、１００：原曲キー予約ボタン（部分映像）、１０２：予約ボタン（部分映像）、１１２：店員（利用者）
【図１】
0005522212.tif 000002
【図２】
0005522212.tif 000003
【図３】
0005522212.tif 000004
【図４】
0005522212.tif 000005
【図５】
0005522212.tif 000006
【図６】
0005522212.tif 000007
【図７】
0005522212.tif 000008
【図８】
0005522212.tif 000009
【図９】
0005522212.tif 000010
【図１０】
0005522212.tif 000011
【図１１】
0005522212.tif 000012
【図１２】
0005522212.tif 000013
【図１３】
0005522212.tif 000014
【図１４】
0005522212.tif 000015
【図１５】
0005522212.tif 000016
【図１６】
0005522212.tif 000017
【図１７】
0005522212.tif 000018
【図１８】
0005522212.tif 000019
【図１９】
0005522212.tif 000020